(57)【特許請求の範囲】
【請求項１】
少なくとも３個の光源群と、交流電圧を全波整流する全波整流回路と、少なくとも３個の定電流回路と、前記少なくとも３個の定電流回路を制御する制御回路とを備え、
前記少なくとも３個の光源群の各々は、固体発光素子を備え、
前記少なくとも３個の定電流回路の各々は、対応する前記少なくとも３個の光源群に流れる電流を定電流化するように構成され、
前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続され、
前記第１定電流回路は、前記第１光源群に接続されるスイッチング素子を備え、前記第１定電流回路の前記スイッチング素子には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続され、
前記第２定電流回路は、前記第２光源群に接続されるスイッチング素子を備え、前記第２定電流回路の前記スイッチング素子には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続され、
前記第３定電流回路は、前記第３光源群に接続されるスイッチング素子を備え、
前記制御回路は、外部からの光あるいは信号を検出する検出部を備え、
前記制御回路は、前記第１定電流回路、前記第２定電流回路、及び前記第３定電流回路の前記スイッチング素子の制御端子のそれぞれと、前記全波整流回路の前記一対の出力端における低電位側の出力端との間に接続されるスイッチング素子を備え、
前記制御回路は、前記検出部により前記光あるいは信号が検出されたとき、前記少なくとも３個の定電流回路それぞれの動作が停止するように、もしくは、前記少なくとも３個の光源群それぞれに流れる電流の電流値が小さくなるように、前記制御回路の前記スイッチング素子を制御する
ことを特徴とする光源ユニット。
【請求項２】
前記全波整流回路の一対の出力端における高電位側の出力端は、前記第１光源群と電気的に接続され、前記全波整流回路の一対の出力端における低電位側の出力端は、前記第１定電流回路と電気的に接続され、
前記制御回路は、スイッチ部を備え、
前記スイッチ部は、前記全波整流回路の一対の出力端における低電位側の出力端と前記第１定電流回路との間の電路に設けられ、
前記制御回路は、前記検出部により前記光あるいは信号が検出されたとき、前記スイッチ部をオフ状態にして、前記少なくとも３個の定電流回路それぞれの動作を停止させるように構成されている
ことを特徴とする請求項１記載の光源ユニット。
【請求項３】
請求項１または請求項２記載の光源ユニットと、前記光源ユニットが取り付けられる取付部材とを備えている
ことを特徴とする照明器具。
【発明の詳細な説明】
【技術分野】
【０００１】
本発明は、一般に、光源ユニットおよびそれを用いた照明器具に関し、より詳細には、固体発光素子を有する光源ユニットおよびそれを用いた照明器具に関する。
【背景技術】
【０００２】
従来、商用電源を整流して得られる脈流電圧によりＬＥＤ群を直接駆動するＬＥＤ装置が知られている（例えば、特許文献１）。
【先行技術文献】
【特許文献】
【０００３】
【特許文献１】米国特許第７０８１７２２号
【発明の概要】
【発明が解決しようとする課題】
【０００４】
ところで、特許文献１に記載されたＬＥＤ装置等の光源ユニットは、高機能化が望まれている。
【０００５】
本発明の目的は、高機能化を図ることが可能な光源ユニットおよびそれを用いた照明器具を提供することにある。
【課題を解決するための手段】
【０００６】
本発明の光源ユニットは、少なくとも３個の光源群と、交流電圧を全波整流する全波整流回路とを備えている。また、前記光源ユニットは、少なくとも３個の定電流回路と、前記少なくとも３個の定電流回路を制御する制御回路とを備えている。前記少なくとも３個の光源群の各々は、固体発光素子を備えている。前記少なくとも３個の定電流回路の各々は、対応する前記少なくとも３個の光源群に流れる電流を定電流化するように構成されている。前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続されている。前記第１定電流回路には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続されている。前記第２定電流回路には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続されている。前記制御回路は、外部からの光あるいは信号を検出する検出部を備えている。前記制御回路は、前記検出部により前記光あるいは信号が検出されたとき、前記少なくとも３個の定電流回路それぞれの動作が停止するように、もしくは、前記少なくとも３個の光源群それぞれに流れる電流の電流値が小さくなるように、前記少なくとも３個の定電流回路を制御する。
【０００７】
本発明の照明器具は、前記光源ユニットと、前記光源ユニットが取り付けられる取付部材とを備えている。
【発明の効果】
【０００８】
本発明の光源ユニットにおいては、高機能化を図ることが可能となる。
【０００９】
本発明の照明器具においては、高機能化を図ることが可能な光源ユニットを備えた照明器具を提供することができる。
【図面の簡単な説明】
【００１０】
【図１】実施形態１の光源ユニットの回路図である。
【図２】実施形態１の光源ユニットが取付部材に取り付けられた状態を示す概略斜視図である。
【図３】実施形態１の光源ユニットが取付部材に取り付けられた状態に関し、検出部の配置を説明する説明図である。
【図４】実施形態１の光源ユニットを備えた照明器具の施工状態を示す斜視図である。
【図５】実施形態２の光源ユニットの回路図である。
【図６】実施形態２の光源ユニットに関し、スイッチ部に流れる電流を説明する説明図である。
【発明を実施するための形態】
【００１１】
（実施形態１）
以下では、実施形態１の光源ユニット１００について、図１〜３を参照しながら説明する。なお、以下では、説明の便宜上、光源ユニット１００を備えた照明器具２００について、図４を参照しながら説明した後に、光源ユニット１００について詳細に説明する。
【００１２】
照明器具２００は、例えば、街路灯である。照明器具２００は、例えば、地面等に設置された支柱３００に取り付けられるように構成されている。支柱３００としては、例えば、電柱、鋼管ポール等が挙げられる。
【００１３】
照明器具２００は、光源ユニット１００と、取付部材１０１と、ケース１０２とを備えている。なお、図４では、光源ユニット１００がケース１０２に覆われているため、光源ユニット１００が見えていない。
【００１４】
取付部材１０１は、光源ユニット１００が取り付けられるように構成されている。また、取付部材１０１は、固定具４００により支柱３００に取り付けられるように構成されている。取付部材１０１は、例えば、鋼板等の金属板により形成されている。
【００１５】
取付部材１０１は、固定具４００により支柱３００に取り付けられたとき、光源ユニット１００が上記地面に対して所定の角度（例えば、６０度）だけ傾くように構成されている。
【００１６】
ケース１０２は、光源ユニット１００を覆うように構成されている。ケース１０２は、ボディ１０３と、カバー１０４とを備えている。
【００１７】
ボディ１０３は、取付部材１０１が取り付けられるように構成されている。ボディ１０３は、一面が開口した箱状（例えば、矩形箱状）に構成されている。ボディ１０３は、例えば、合成樹脂により形成されている。
【００１８】
ボディ１０３には、一対の電源線２５Ａ，２５Ｂを通す孔（第１孔）が形成されている。一対の電源線２５Ａ，２５Ｂは、光源ユニット１００と電気的に接続されている。また、一対の電源線２５Ａ，２５Ｂは、外部電源４０（図１参照）と電気的に接続される。外部電源４０は、例えば、正弦波状の交流電圧を出力する交流電源（例えば、商用電源）である。
【００１９】
ボディ１０３には、取付部材１０１の一部を通す孔（第２孔）が形成されている。
【００２０】
カバー１０４は、ボディ１０３に取り付けられるように構成されている。また、カバー１０４は、光源ユニット１００を覆うように構成されている。カバー１０４は、透光性を有する材料により形成されている。
【００２１】
光源ユニット１００は、図１に示すように、３個の光源群１１〜１３と、全波整流回路２と、３個の定電流回路２１〜２３と、制御回路３０とを備えている。また、光源ユニット１００は、コネクタ４と、ヒューズ５と、バリスタ６と、基板７（図２参照）とを備えている。コネクタ４は、一対の電源線２５Ａ，２５Ｂを電気的に接続するように構成されている。コネクタ４は、一対の端子４Ａ，４Ｂを備えている。
【００２２】
光源群１１は、例えば、複数個（本実施形態では、９個）の固体発光素子８を備えている。複数個の固体発光素子８の各々は、例えば、ＬＥＤである。複数個の固体発光素子８の電気的な接続関係は、例えば、直列接続である。
【００２３】
なお、複数個の固体発光素子８の電気的な接続関係は、直列接続に限らず、例えば、並列接続であってもよいし、直列接続と並列接続とを組み合わせた接続であってもよい。また、複数個の固体発光素子８の各々は、ＬＥＤに限らず、例えば、有機エレクトロルミネッセンス素子、半導体レーザ素子等であってもよい。また、光源群１１は、複数個の固体発光素子を備えているが、１個の固体発光素子を備えていてもよい。
【００２４】
２個の光源群１２，１３の各々は、固体発光素子８の個数が異なる点を除いて、光源群１１と同じ構成である。ゆえに、２個の光源群１２，１３の各々に関する詳細な説明は省略する。
【００２５】
全波整流回路２は、交流電圧を全波整流するように構成されている。全波整流回路２は、例えば、ダイオードブリッジである。
【００２６】
全波整流回路２の一対の入力端間には、バリスタ６が電気的に接続されている。全波整流回路２の一対の入力端における高電位側の入力端は、ヒューズ５を介して、コネクタ４の端子４Ａと電気的に接続されている。全波整流回路２の一対の入力端における低電位側の入力端は、コネクタ４の端子４Ｂと電気的に接続されている。
【００２７】
全波整流回路２の一対の出力端間には、光源群１１と定電流回路２１との直列回路が電気的に接続されている。
【００２８】
定電流回路２１は、光源群１１に流れる電流を定電流化するように構成されている。定電流回路２１は、例えば、２個のスイッチング素子Ｑ１，Ｑ２と、３個の抵抗Ｒ１〜Ｒ３とを備えている。
【００２９】
スイッチング素子Ｑ１は、第１端子と、第２端子と、制御端子とを備えている。スイッチング素子Ｑ１は、例えば、エンハンスメント型のｎチャネルＭＯＳＦＥＴである。この場合、スイッチング素子Ｑ１では、第１端子がドレイン端子であり、第２端子がソース端子であり、制御端子がゲート端子である。
【００３０】
スイッチング素子Ｑ２は、第１端子と、第２端子と、制御端子とを備えている。スイッチング素子Ｑ２は、例えば、ｎｐｎ型のバイポーラトランジスタである。この場合、スイッチング素子Ｑ２では、第１端子がコレクタ端子であり、第２端子がエミッタ端子であり、制御端子がベース端子である。
【００３１】
抵抗Ｒ１の第１端は、光源群１１のカソード側の接続端と電気的に接続されている。抵抗Ｒ１の第２端は、スイッチング素子Ｑ１のゲート端子と電気的に接続されている。また、抵抗Ｒ１の第２端は、スイッチング素子Ｑ２のコレクタ端子と電気的に接続されている。さらに、抵抗Ｒ１の第２端は、抵抗Ｒ２の第１端と電気的に接続されている。抵抗Ｒ２の第１端は、制御回路３０と電気的に接続されている。
【００３２】
スイッチング素子Ｑ１のドレイン端子は、抵抗Ｒ１の第１端と電気的に接続されている。スイッチング素子Ｑ１のソース端子は、抵抗Ｒ２の第２端と電気的に接続されている。抵抗Ｒ２の第２端は、スイッチング素子Ｑ２のベース端子と電気的に接続されている。また、抵抗Ｒ２の第２端は、抵抗Ｒ３の第１端と電気的に接続されている。抵抗Ｒ３の第２端は、スイッチング素子Ｑ２のエミッタ端子と電気的に接続されている。
【００３３】
なお、スイッチング素子Ｑ１は、エンハンスメント型のｎチャネルＭＯＳＦＥＴに限らず、例えば、ｎｐｎ型のバイポーラトランジスタ等であってもよい。また、スイッチング素子Ｑ２は、ｎｐｎ型のバイポーラトランジスタに限らない。
【００３４】
定電流回路２１には、光源群１２と定電流回路２２との直列回路が電気的に接続されている。
【００３５】
定電流回路２２は、図１に示すように、定電流回路２１と符号が異なる点を除いて、定電流回路２１と同じ構成である。ゆえに、定電流回路２２に関する詳細な説明は省略する。
【００３６】
定電流回路２２には、光源群１３と定電流回路２３との直列回路が電気的に接続されている。
【００３７】
定電流回路２３は、図１に示すように、定電流回路２１と符号が異なる点を除いて、定電流回路２１と同じ構成である。ゆえに、定電流回路２３に関する詳細な説明は省略する。
【００３８】
制御回路３０は、３個の定電流回路２１〜２３を制御するように構成されている。制御回路３０は、例えば、検出部３と、スイッチング素子Ｑ７と、３個の抵抗Ｒ１０〜Ｒ１２と、３個のダイオードＤ１〜Ｄ３とを備えている。
【００３９】
検出部３は、外部（例えば、照明器具２００の周囲）からの光を検出するように構成されている。言い換えれば、検出部３は、照明器具２００の周囲の明るさを検出するように構成されている。検出部３は、例えば、照度センサである。光源ユニット１００では、検出部３として、例えば、パナソニック社製の照度センサ（品番：ＡＭＳ３０２）を用いている。この場合、検出部３は、アノード端子３２Ａと、カソード端子３２Ｂと、本体部３３（図３参照）とを備える。本体部３３は、例えば、外部からの光を検出するフォトダイオードを含む機能素子を有し、この機能素子がアノード端子３２Ａおよびカソード端子３２Ｂの各々と電気的に接続されている。なお、以下では、説明の便宜上、外部からの光を「外光」と称する。
【００４０】
スイッチング素子Ｑ７は、第１端子と、第２端子と、制御端子とを備えている。スイッチング素子Ｑ７は、例えば、ｎｐｎ型のバイポーラトランジスタである。この場合、スイッチング素子Ｑ７では、第１端子がコレクタ端子であり、第２端子がエミッタ端子であり、制御端子がベース端子である。
【００４１】
検出部３のカソード端子３２Ｂは、全波整流回路２の一対の出力端における高電位側の出力端と電気的に接続されている。検出部３のアノード端子３２Ａは、抵抗Ｒ１０の第１端と電気的に接続されている。また、検出部３のアノード端子３２Ａは、抵抗Ｒ１１の第１端と電気的に接続されている。抵抗Ｒ１０の第２端は、全波整流回路２の一対の出力端における低電位側の出力端と電気的に接続されている。抵抗Ｒ１１の第２端は、スイッチング素子Ｑ７のベース端子と電気的に接続されている。なお、以下では、説明の便宜上、全波整流回路２の一対の出力端における高電位側の出力端を「全波整流回路２の高電位側の出力端」と称し、全波整流回路２の一対の出力端における低電位側の出力端を「全波整流回路２の低電位側の出力端」と称する。
【００４２】
スイッチング素子Ｑ７のコレクタ端子は、抵抗Ｒ１２の第１端と電気的に接続されている。抵抗Ｒ１２の第２端は、３個のダイオードＤ１〜Ｄ３それぞれのカソードと電気的に接続されている。スイッチング素子Ｑ７のエミッタ端子は、抵抗Ｒ１０の第２端と電気的に接続されている。
【００４３】
ダイオードＤ１のアノードは、定電流回路２１（詳細には、定電流回路２１における抵抗Ｒ２の第１端）と電気的に接続されている。ダイオードＤ２のアノードは、定電流回路２２（詳細には、定電流回路２２における抵抗Ｒ５の第１端）と電気的に接続されている。ダイオードＤ３のアノードは、定電流回路２３（詳細には、定電流回路２３における抵抗Ｒ８の第１端）と電気的に接続されている。
【００４４】
基板７は、３個の光源群１１〜１３、全波整流回路２および３個の定電流回路２１〜２３それぞれを構成する複数個の電子部品が電気的に接続されるように構成されている。また、基板７は、制御回路３０を構成する複数個の電子部品、コネクタ４、ヒューズ５およびバリスタ６が電気的に接続されるように構成されている。基板７は、例えば、プリント基板である。また、基板７は、例えば、長方形状に形成されている。
【００４５】
光源ユニット１００は、基板７の長手方向の一端部（図２では、右上端部）が取付部材１０１からはみ出すように、取付部材１０１に取り付けられている。
【００４６】
基板７の表面（図２では、上面）には、複数個（本実施形態では、１５個）の固体発光素子８、全波整流回路２、３個のスイッチング素子Ｑ１，Ｑ３，Ｑ５、コネクタ４、ヒューズ５およびバリスタ６等が配置されている。
【００４７】
基板７の裏面（図２では、下面）には、スペーサ１０（図３参照）を介して検出部３の本体部３３が配置されている。具体的に説明すると、基板７の上記一端部の裏面には、スペーサ１０を介して検出部３の本体部３３が配置されている。
【００４８】
スペーサ１０は、検出部３の本体部３３とケース１０２との間の距離を調整するように構成されている。また、スペーサ１０には、検出部３のアノード端子３２Ａおよびカソード端子３２Ｂを通す一対の孔４１Ａ，４１Ｂが形成されている。なお、検出部３の本体部３３は、スペーサ１０を介して基板７の裏面に配置されているが、スペーサ１０を介さずに基板７の裏面に配置されていてもよい。図３では、アノード端子３２Ａのみが見えている。また、図３では、孔４１Ａのみが見えている。
【００４９】
光源ユニット１００は、全波整流回路２により全波整流された電圧（脈流電圧）によって、３個の光源群１１〜１３を点灯させるように構成されている。光源ユニット１００は、全波整流回路２により全波整流された電圧の瞬時値に基づいて、３個のスイッチング素子Ｑ１，Ｑ３，Ｑ５を順番にオフ状態からオン状態にすることで、３個の光源群１１〜１３を段階的に点灯させる。なお、３個の光源群１１〜１３を段階的に点灯させるとは、光源群１１を点灯させた後に、光源群１１の点灯状態を維持しながら光源群１２を点灯させ、最後に２個の光源群１１，１２の点灯状態を維持しながら光源群１３を点灯させることを意味する。
【００５０】
また、光源ユニット１００は、全波整流回路２により全波整流された電圧の瞬時値に基づいて、３個のスイッチング素子Ｑ１，Ｑ３，Ｑ５を順番にオン状態からオフ状態にすることで、３個の光源群１１〜１３を段階的に消灯させる。なお、３個の光源群１１〜１３を段階的に消灯させるとは、点灯状態の３個の光源群１１〜１３のうち光源群１３を消灯させた後に、光源群１２を消灯させ、最後に光源群１１を消灯させることを意味する。
【００５１】
制御回路３０は、検出部３により外光が検出されたとき、３個の定電流回路２１〜２３それぞれの動作が停止するように、３個の定電流回路２１〜２３を制御する。言い換えれば、制御回路３０は、照明器具２００の周囲が明るくなったとき、３個の定電流回路２１〜２３それぞれの動作が停止するように、３個の定電流回路２１〜２３を制御する。
【００５２】
光源ユニット１００では、例えば、照明器具２００の周囲が暗くなると、検出部３として用いた照度センサのインピーダンス成分が大きくなるので、スイッチング素子Ｑ７のベース端子に電流が流れず、スイッチング素子Ｑ７がオフ状態を維持する。その結果、光源ユニット１００では、３個のスイッチング素子Ｑ１，Ｑ３，Ｑ５の各々がスイッチング動作可能になる。言い換えれば、光源ユニット１００では、３個の定電流回路２１〜２３の各々が動作可能になる。これにより、光源ユニット１００では、照明器具２００の周囲が暗くなったとき、３個の光源群１１〜１３を段階的に点灯させることが可能となる。なお、照明器具２００の周囲が暗くなったときとは、検出部３により検出された外光の出力レベルが基準レベル未満になったときを意味する。
【００５３】
一方、光源ユニット１００では、例えば、照明器具２００の周囲が明るくなると、検出部３として用いた照度センサのインピーダンス成分が小さくなるので、スイッチング素子Ｑ７のベース端子に電流が流れ、スイッチング素子Ｑ７がオン状態になる。その結果、光源ユニット１００では、３個のスイッチング素子Ｑ１，Ｑ３，Ｑ５の各々がオフ状態となり、３個の定電流回路２１〜２３それぞれの動作を停止させることが可能になる。これにより、光源ユニット１００では、照明器具２００の周囲が明るくなったとき、３個の光源群１１〜１３の各々を消灯させることが可能となる。なお、照明器具２００の周囲が明るくなったときとは、検出部３により検出された外光の出力レベルが基準レベル以上になったときを意味する。
【００５４】
光源ユニット１００では、照明器具２００の周囲の明るさに応じて、検出部３として用いた照度センサのインピーダンス成分が変化するので、スイッチング素子Ｑ７のベース−エミッタ間電圧を変化させることが可能となる。すなわち、制御回路３０は、スイッチング素子Ｑ７を抵抗成分として機能させるように構成されている。これにより、光源ユニット１００では、スイッチング素子Ｑ７を、ベース−エミッタ間電圧の変化に応じてコレクタ電流が比例して変化する領域（いわゆる、能動領域）で使用することが可能になる。よって、光源ユニット１００では、スイッチング素子Ｑ１，Ｑ３，Ｑ５それぞれのゲート−ソース間電圧を増加もしくは減少させることが可能となり、スイッチング素子Ｑ１，Ｑ３，Ｑ５それぞれに流れる電流を増加もしくは減少させることが可能となる。その結果、光源ユニット１００では、照明器具２００の周囲の明るさに応じて、３個の光源群１１〜１３それぞれに流れる電流の電流値を調整することが可能となる。
【００５５】
制御回路３０は、検出部３により外光が検出されたとき、３個の定電流回路２１〜２３それぞれの動作が停止するように、３個の定電流回路２１〜２３を制御する構成であるが、この構成に限らない。制御回路３０は、検出部３により外光が検出されたとき、３個の光源群１１〜１３それぞれに流れる電流の電流値が小さくなるように、３個の定電流回路２１〜２３を制御する構成であってもよい。これにより、光源ユニット１００では、照明器具２００の周囲が明るくなったとき、３個の光源群１１〜１３それぞれに流れる電流を減少させることが可能になる。言い換えれば、光源ユニット１００では、照明器具２００の周囲が明るくなったとき、３個の光源群１１〜１３それぞれから放射される光の出力を低減させることが可能になる。
【００５６】
検出部３は、外光を検出するように構成されているが、この構成に限らない。検出部３は、外部（例えば、異常検出装置）からの信号（異常信号）を検出するように構成されていてもよい。異常検出装置としては、例えば、過電圧検出装置、過電流検出装置等が挙げられる。この場合、光源ユニット１００では、例えば、検出部３により異常信号が検出されたとき、３個の光源群１１〜１３の各々を消灯させる。
【００５７】
また、検出部３は、例えば、赤外線あるいは電波を媒体とするリモートコントローラ（以下、「リモコン」）からの信号（リモコン信号）を検出するように構成されていてもよい。この場合、光源ユニット１００では、例えば、検出部３によりリモコン信号が検出されたとき、このリモコン信号に含まれる情報（例えば、３個の光源群１１〜１３の点灯状態を指示する指令）に従って、３個の光源群１１〜１３を点灯あるいは消灯させる。
【００５８】
光源ユニット１００は、３個の光源群１１〜１３を備えているが、これに限らず、例えば、４個以上の光源群を備えていてもよい。この場合、光源ユニット１００は、４個以上の定電流回路を備える。また、制御回路３０は、４個以上の定電流回路を制御するように構成される。すなわち、光源ユニット１００は、少なくとも３個の光源群１１〜１３と、全波整流回路２と、少なくとも３個の定電流回路２１〜２３と、制御回路３０とを備える。
【００５９】
スイッチング素子Ｑ７は、ｎｐｎ型のバイポーラトランジスタに限らず、例えば、エンハンスメント型のｎチャネルＭＯＳＦＥＴ等であってもよい。
【００６０】
以上説明した光源ユニット１００は、少なくとも３個の光源群１１〜１３と、交流電圧を全波整流する全波整流回路２と、少なくとも３個の定電流回路２１〜２３と、少なくとも３個の定電流回路２１〜２３を制御する制御回路３０とを備えている。３個の光源群１１〜１３の各々は、固体発光素子８を備えている。３個の定電流回路２１〜２３の各々は、対応する３個の光源群１１〜１３に流れる電流を定電流化するように構成されている。全波整流回路２の一対の出力端間には、第１光源群（光源群１１）と第１定電流回路（定電流回路２１）との直列回路が電気的に接続されている。第１定電流回路には、第２光源群（光源群１２）と第２定電流回路（定電流回路２２）との直列回路が電気的に接続されている。第２定電流回路には、第３光源群（光源群１３）と第３定電流回路（定電流回路２３）との直列回路が電気的に接続されている。制御回路３０は、外部からの光あるいは信号を検出する検出部３を備えている。制御回路３０は、検出部３により上記光あるいは信号が検出されたとき、３個の定電流回路２１〜２３それぞれの動作が停止するように、もしくは、３個の光源群１１〜１３それぞれに流れる電流の電流値が小さくなるように、３個の定電流回路２１〜２３を制御する。これにより、光源ユニット１００では、例えば、検出部３として照度センサを用いた場合に、照明器具２００の周囲が明るくなったとき、３個の光源群１１〜１３の各々を消灯させることが可能となる。また、光源ユニット１００では、例えば、例えば、検出部３として照度センサを用いた場合に、照明器具２００の周囲が明るくなったとき、３個の光源群１１〜１３それぞれに流れる電流を減少させることが可能となる。よって、光源ユニット１００では、高機能化を図ることが可能となる。
【００６１】
また、光源ユニット１００では、制御回路３０が、スイッチング素子Ｑ７を備え、スイッチング素子Ｑ７を抵抗成分として機能させるように構成されている。これにより、光源ユニット１００では、スイッチング素子Ｑ７を、制御端子と第２端子との間の電圧（ベース−エミッタ間電圧）の変化に応じて、第１端子に流れる電流（コレクタ電流）が比例して変化する領域（能動領域）で使用することが可能になる。よって、光源ユニット１００では、スイッチング素子Ｑ１，Ｑ３，Ｑ５それぞれの制御端子と第２端子との間の電圧（ゲート−ソース間電圧）を増加もしくは減少させることが可能となる。すなわち、光源ユニット１００では、スイッチング素子Ｑ１，Ｑ３，Ｑ５それぞれに流れる電流を増加もしくは減少させることが可能となる。その結果、光源ユニット１００では、照明器具２００の周囲の明るさに応じて、３個の光源群１１〜１３それぞれに流れる電流の電流値を調整することが可能となる。すなわち、光源ユニット１００では、より高機能化を図ることが可能となる。
【００６２】
また、光源ユニット１００では、検出部３が基板７上に配置されているので、検出部３が基板７上に配置されていない場合に比べて、光源ユニット１００の組立性を向上させることが可能となる。
【００６３】
以上説明した照明器具２００は、光源ユニット１００と、光源ユニット１００が取り付けられる取付部材１０１とを備えている。これにより、照明器具２００では、高機能化を図ることが可能な光源ユニット１００を備えた照明器具２００を提供することができる。
【００６４】
（実施形態２）
実施形態２の光源ユニット１１０の基本構成は、実施形態１の光源ユニット１００と同じである。また、光源ユニット１１０は、図５に示すように、制御回路３０の代わりに制御回路３１を備えている点が、光源ユニット１００と相違する。なお、光源ユニット１１０では、光源ユニット１００と同様の構成要素に同一の符号を付して説明を適宜省略する。また、光源ユニット１１０は、例えば、実施形態１の照明器具２００に適用される。
【００６５】
制御回路３１は、３個の定電流回路２１〜２３を制御するように構成されている。制御回路３１は、例えば、検出部３と、スイッチング素子Ｑ８と、３個の抵抗Ｒ１３〜Ｒ１５と、スイッチ部９とを備えている。
【００６６】
スイッチング素子Ｑ８は、第１端子と、第２端子と、制御端子とを備えている。スイッチング素子Ｑ８は、例えば、ｎｐｎ型のバイポーラトランジスタである。この場合、スイッチング素子Ｑ８では、第１端子がコレクタ端子であり、第２端子がエミッタ端子であり、制御端子がベース端子である。
【００６７】
スイッチ部９は、例えば、スイッチング素子Ｑ９と、抵抗Ｒ１６とを備えている。
【００６８】
スイッチング素子Ｑ９は、第１端子と、第２端子と、制御端子とを備えている。スイッチング素子Ｑ９は、例えば、ｎｐｎ型のバイポーラトランジスタである。この場合、スイッチング素子Ｑ９では、第１端子がコレクタ端子であり、第２端子がエミッタ端子であり、制御端子がベース端子である。
【００６９】
抵抗Ｒ１３の第１端は、検出部３のアノード端子３２Ａと電気的に接続されている。また、抵抗Ｒ１３の第１端は、抵抗Ｒ１４の第１端と電気的に接続されている。抵抗Ｒ１３の第２端は、全波整流回路２の低電位側の出力端と電気的に接続されている。
【００７０】
抵抗Ｒ１４の第２端は、スイッチング素子Ｑ８のベース端子と電気的に接続されている。
【００７１】
抵抗Ｒ１５の第１端は、全波整流回路２の高電位側の出力端と電気的に接続されている。抵抗Ｒ１５の第２端は、スイッチング素子Ｑ８のコレクタ端子と電気的に接続されている。また、抵抗１５の第２端は、スイッチング素子Ｑ９のベース端子と電気的に接続されている。
【００７２】
スイッチング素子Ｑ８のエミッタ端子は、抵抗Ｒ１３の第２端と電気的に接続されている。スイッチング素子Ｑ９のコレクタ端子は、定電流回路２１（詳細には、定電流回路２１におけるスイッチング素子Ｑ２のエミッタ端子）と電気的に接続されている。スイッチング素子Ｑ９のエミッタ端子は、抵抗Ｒ１６を介して、スイッチング素子Ｑ９のベース端子と電気的に接続されている。また、スイッチング素子Ｑ９のエミッタ端子は、全波整流回路２の低電位側の出力端と電気的に接続されている。
【００７３】
制御回路３１は、検出部３により外光が検出されたとき、スイッチ部９をオフ状態にして、３個の定電流回路２１〜２３それぞれの動作を停止させるように構成されている。
【００７４】
光源ユニット１１０では、例えば、照明器具２００の周囲が暗くなると、検出部３として用いた照度センサのインピーダンス成分が大きくなるので、スイッチング素子Ｑ８のベース端子に電流が流れず、スイッチング素子Ｑ８がオフ状態を維持する。その結果、光源ユニット１１０では、スイッチング素子Ｑ９がオン状態となり、３個のスイッチング素子Ｑ１，Ｑ３，Ｑ５の各々がスイッチング動作可能になる。言い換えれば、光源ユニット１１０では、３個の定電流回路２１〜２３の各々が動作可能になる。これにより、光源ユニット１１０では、照明器具２００の周囲が暗くなったとき、３個の光源群１１〜１３を段階的に点灯させることが可能となる。
【００７５】
一方、光源ユニット１１０では、例えば、照明器具２００の周囲が明るくなると、検出部３として用いた照度センサのインピーダンス成分が小さくなるので、スイッチング素子Ｑ８のベース端子に電流が流れ、スイッチング素子Ｑ８がオン状態になる。その結果、光源ユニット１１０では、スイッチング素子Ｑ９がオフ状態となり、全波整流回路２の低電位側の出力端と定電流回路２１との間の電路が遮断状態になる。言い換えれば、光源ユニット１１０では、スイッチ部９がオフ状態となり、３個の定電流回路２１〜２３それぞれの動作を停止させる。これにより、光源ユニット１１０では、照明器具２００の周囲が明るくなったとき、３個の光源群１１〜１３に電流が流れなくなるので、３個の光源群１１〜１３の各々を消灯させることが可能となる。
【００７６】
光源ユニット１１０では、照明器具２００の周囲の明るさに応じて、検出部３として用いた照度センサのインピーダンス成分が変化するので、スイッチング素子Ｑ８のベース−エミッタ間電圧を変化させることが可能となる。また、光源ユニット１１０では、照明器具２００の周囲の明るさに応じて、スイッチング素子Ｑ８のベース−エミッタ間電圧が変化するので、スイッチング素子Ｑ９のベース−エミッタ間電圧も変化させることが可能となる。すなわち、制御回路３１は、スイッチング素子Ｑ８とスイッチング素子Ｑ９とを抵抗成分として機能させるように構成されている。これにより、光源ユニット１１０では、スイッチング素子Ｑ８およびスイッチング素子Ｑ９の各々を、ベース−エミッタ間電圧の変化に応じてコレクタ電流が比例して変化する領域（能動領域）で使用することが可能になる。
【００７７】
光源ユニット１１０では、スイッチング素子Ｑ９を能動領域で使用することができるので、照明器具２００の周囲の明るさ（照度）に応じて、スイッチ部９に流れる電流の最大電流値を制限することが可能となる（図６参照）。よって、光源ユニット１１０では、照明器具２００の周囲の明るさに応じて、３個の光源群１１〜１３に流れる電流を増加もしくは減少させることが可能となる。なお、図６中の一点鎖線は、スイッチ部９に流れる電流の最大電流値を表している。
【００７８】
スイッチング素子Ｑ８は、ｎｐｎ型のバイポーラトランジスタに限らず、例えば、エンハンスメント型のｎチャネルＭＯＳＦＥＴ等であってもよい。また、スイッチング素子Ｑ９は、ｎｐｎ型のバイポーラトランジスタに限らず、例えば、エンハンスメント型のｎチャネルＭＯＳＦＥＴ等であってもよい。
【００７９】
以上説明した光源ユニット１１０では、全波整流回路２の一対の出力端における高電位側の出力端が、第１光源群（光源群１１）と電気的に接続されている。全波整流回路２の一対の出力端における低電位側の出力端は、第１定電流回路（定電流回路２１）と電気的に接続されている。制御回路３１は、スイッチ部９を備えている。スイッチ部９は、全波整流回路２の一対の出力端における低電位側の出力端と第１定電流回路との間の電路に設けられている。制御回路３１は、検出部３により上記光あるいは信号が検出されたとき、スイッチ部９をオフ状態にして、少なくとも３個の定電流回路２１〜２３それぞれの動作を停止させるように構成されている。これにより、光源ユニット１１０では、例えば、検出部３として照度センサを用いた場合に、照明器具２００の周囲が明るくなったとき、３個の光源群１１〜１３の各々を消灯させることが可能となる。よって、光源ユニット１１０でも、高機能化を図ることが可能となる。
【００８０】
また、光源ユニット１１０では、制御回路３１が、スイッチング素子Ｑ８とスイッチング素子Ｑ９とを備え、スイッチング素子Ｑ８とスイッチング素子Ｑ９とを抵抗成分として機能させるように構成されている。これにより、光源ユニット１１０では、スイッチング素子Ｑ８およびスイッチング素子Ｑ９の各々を能動領域で使用することが可能になる。よって、光源ユニット１１０では、照明器具２００の周囲の明るさに応じて、スイッチ部９に流れる電流の最大電流値を制限することが可能となる。その結果、光源ユニット１１０では、照明器具２００の周囲の明るさに応じて、３個の光源群１１〜１３に流れる電流を増加もしくは減少させることが可能となる。したがって、光源ユニット１１０でも、より高機能化を図ることが可能となる。
【符号の説明】
【００８１】
２  全波整流回路
３  検出部
８  固体発光素子
９  スイッチ部
１１  光源群（第１光源群）
１２  光源群（第２光源群）
１３  光源群（第３光源群）
２１  定電流回路（第１定電流回路）
２２  定電流回路（第２定電流回路）
２３  定電流回路（第３定電流回路）
３０  制御回路
３１  制御回路
１００  光源ユニット
１０１  取付部材
１１０  光源ユニット
２００  照明器具
【図１】
0006532005.tif 000002
【図２】
0006532005.tif 000003
【図３】
0006532005.tif 000004
【図４】
0006532005.tif 000005
【図５】
0006532005.tif 000006
【図６】
0006532005.tif 000007